(57)【要約】    【課題】  例えば一定回転数で回転するプロペラを備えた航空機に搭載したコンテナにより人や動物等を搬送する際に内部に伝わる騒音を低減して人や動物等に対する騒音の影響を軽減する。    【解決手段】  側壁部３の少なくとも一面に出入り口となる開閉扉４を備え、航空機内の固定装置によって固定可能とされ、内部に人や動物等を収容するコンテナ本体１と、上記コンテナ本体１の外側面及び屋根面に複数個設けられ、内側に空洞部を有する箱形に形成され、この箱形の外側板材には内部の空洞部と連通し断面円形の筒状とされて所定長さで外部に突出又は内部に陥没した首部を有する共鳴型音減衰器２と、を備え、上記共鳴型音減衰器２の共鳴周波数は、航空機が発する低周波音の周波数と略同一又は近似した値とされたものである。【選択図】    図６
2006335463.tif 000002
【特許請求の範囲】
【請求項１】
側壁部の少なくとも一面に出入り口となる開閉扉を備え、航空機内の固定装置によって固定可能とされ、内部に人や動物等を収容するコンテナ本体と、
上記コンテナ本体の外側面及び屋根面に複数個設けられ、内側に空洞部を有する箱形に形成され、この箱形の外側板材には内部の空洞部と連通し断面円形の筒状とされて所定長さで外部に突出又は内部に陥没した首部を有する共鳴型音減衰器と、を備え、
上記共鳴型音減衰器の共鳴周波数は、航空機が発する低周波音の周波数と略同一又は近似した値とされたことを特徴とする航空機用防音コンテナ。
【請求項２】
上記共鳴型音減衰器は、平面形状が多角形に形成されていることを特徴とする請求項１記載の航空機用防音コンテナ。
【請求項３】
上記コンテナ本体の外側面及び屋根面に複数個設けられる共鳴型音減衰器は、適宜の複数個を縦横に隙間なく並べて一体化した複合パネルに形成したことを特徴とする請求項１又は２記載の航空機用防音コンテナ。
【発明の詳細な説明】
【技術分野】
【０００１】
本発明は、航空機が発する低周波音の騒音を低減する航空機用防音コンテナに関し、詳しくは、例えば一定回転数で回転するプロペラを備えた航空機に搭載したコンテナにより人や動物等を搬送する際に内部に伝わる騒音を低減して人や動物等に対する騒音の影響を軽減しようとする航空機用防音コンテナに係るものである。
【背景技術】
【０００２】
従来の航空機用コンテナは、主として貨物等を内部に収容して航空機の胴体内に搭載し、貨物等の輸送をするのに使われていた。そして、特別な機能を付加したものとして、箱形に形成され内部に輸送物資を収容するコンテナ本体と、側壁部の少なくとも一面に形成され輸送物資の出入口となる開閉扉との間からの電磁波の漏洩を防止するようにしたものが提案されている（例えば、特許文献１参照）。
【０００３】
また、他の特別な機能を付加したものとして、コンテナ本体をポリカーボネートにより一体成型すると共に、その壁面をコンテナ本体の内部側に湾曲させ、さらにコンテナ本体における角部に丸みを持たせて、強い衝撃に対しても十分対応可能としたものが提案されている（例えば、特許文献２参照）。
【０００４】
さらに、他の特別な機能を付加したものとして、貨物収納用箱体を、機内の固定装置によって固定可能なベース板上に支持する複数の支持手段を、上記箱体の重量を支持すると共に該箱体の振動を防止するための防振手段と、上記箱体がベース板上から所定距離以上に離れることを防止するストッパ手段とで構成し、貨物収納用箱体が振動により動かないようにしたものが提案されている（例えば、特許文献３参照）。
【特許文献１】特開２００１−３５４２９１号公報
【特許文献２】特開２００２−１９３３８１号公報
【特許文献２】特開２００２−２５５２７９号公報
【発明の開示】
【発明が解決しようとする課題】
【０００５】
しかし、上記いずれの特許文献１〜３に記載された航空機用コンテナも、主として貨物等を内部に収容して航空機で輸送するのに使われるものであり、人や動物等を搬送する際にコンテナの内部に伝わる騒音を低減するという機能を付加したものは存在しなかった。
【０００６】
ところが、地震や台風などによる災害発生時に、被災地の飛行場から医療機関の存在する地域の飛行場まで傷病者を搬送するのに、内部に医療設備を備えた医療用コンテナに傷病者を収容して航空機内に搭載し、該航空機で搬送したり、その搬送中に治療を行うことが考えられている。この場合、航空機が発する騒音がうるさくて、内部に収容された傷病者や医師等に不快感を与えることがある。特に、上記医療用コンテナの内部において、緊急に治療や手術を要する場合は、医師同士の意思疎通が困難になって適切な治療や手術を行うのが難しくなる。
【０００７】
また、例えば競馬の馬のように環境に敏感な動物等を航空機用コンテナに収容して航空機で搬送する場合にも、その動物等を航空機の発する騒音で刺激してしまい、安全且つ無事に動物等を搬送することができないことがある。
【０００８】
このような場合は、上記医療用コンテナ又は航空機用コンテナの周りを取り囲む壁を工夫して、壁の内部に発泡材などの遮音材、防音材等を入れて防音対策を行うことが考えられる。しかし、可変ピッチプロペラのように一定回転数で回転するプロペラを備えた航空機においては、そのプロペラの回転から発生する騒音は、例えば６０〜７０Hzという低周波音をピークとするものである。このような低周波音は在来の遮音材、防音材等では十分に遮断することができず、もし十分な遮音、防音対策を行おうとすると、寸法が大きくなりコンテナが大型化してしまう。
【０００９】
そこで、本発明は、このような問題点に対処し、例えば一定回転数で回転するプロペラを備えた航空機に搭載したコンテナにより人や動物等を搬送する際に内部に伝わる騒音を低減して人や動物等に対する騒音の影響を軽減しようとする航空機用防音コンテナを提供することを目的とする。
【課題を解決するための手段】
【００１０】
上記目的を達成するために、本発明による航空機用防音コンテナは、側壁部の少なくとも一面に出入り口となる開閉扉を備え、航空機内の固定装置によって固定可能とされ、内部に人や動物等を収容するコンテナ本体と、上記コンテナ本体の外側面及び屋根面に複数個設けられ、内側に空洞部を有する箱形に形成され、この箱形の外側板材には内部の空洞部と連通し断面円形の筒状とされて所定長さで外部に突出又は内部に陥没した首部を有する共鳴型音減衰器とを備え、上記共鳴型音減衰器の共鳴周波数は、航空機が発する低周波音の周波数と略同一又は近似した値とされたものである。
【００１１】
このような構成により、側壁部の少なくとも一面に出入り口となる開閉扉を備え、航空機内の固定装置によって固定可能とされたコンテナ本体で内部に人や動物等を収容し、上記コンテナ本体の外側面及び屋根面に複数個設けられ、共鳴周波数が航空機の発する低周波音の周波数と略同一又は近似した値とされた共鳴型音減衰器により、上記低周波音を吸収してコンテナ本体の内部に伝わる騒音を低減する。
【００１２】
また、上記共鳴型音減衰器は、平面形状が多角形に形成されたものである。これにより、上記コンテナ本体の外側面及び屋根面に、平面形状が多角形に形成された複数個の共鳴型音減衰器を、それらの外周辺を互いに接して縦横に隙間なく並べることができる。
【００１３】
さらに、上記コンテナ本体の外側面及び屋根面に複数個設けられる共鳴型音減衰器は、適宜の複数個を縦横に隙間なく並べて一体化した複合パネルに形成されたものである。これにより、複数個の共鳴型音減衰器を縦横に隙間なく並べて一体化した複合パネルの状態として、上記コンテナ本体の外側面及び屋根面に簡易に取り付けることができる。
【発明の効果】
【００１４】
請求項１に係る発明によれば、コンテナ本体の外側面及び屋根面に複数個設けられ、共鳴周波数が航空機の発する低周波音の周波数と略同一又は近似した値とされた共鳴型音減衰器により、上記低周波音を吸収して人や動物等を収容したコンテナ本体の内部に伝わる騒音を低減することができる。したがって、例えば一定回転数で回転するプロペラを備えた航空機に搭載したコンテナにより、人や動物等を搬送する際に内部に伝わる騒音を低減して人や動物等に対する騒音の影響を軽減することができる。このことから、例えば医療用のコンテナの内部に収容された傷病者や医師等に不快感を与えるのを防止し、医師同士の意思疎通を容易にすることにより、医師等の安定した医療処置が可能となる。また、例えば動物用のコンテナの内部に収容された競馬の馬などの動物等を航空機の発する騒音で刺激するのを防止し、安全且つ無事に動物等を搬送することができる。
【００１５】
また、請求項２に係る発明によれば、コンテナ本体の外側面及び屋根面に、平面形状が多角形に形成された複数個の共鳴型音減衰器を、それらの外周辺を互いに接して縦横に隙間なく並べることができる。したがって、航空機の発する低周波音を、コンテナ本体の略全周面で吸収して内部に伝わる騒音を低減することができる。
【００１６】
さらに、請求項３に係る発明によれば、複数個の共鳴型音減衰器を縦横に隙間なく並べて一体化した複合パネルの状態として、上記コンテナ本体の外側面及び屋根面に簡易に取り付けることができる。したがって、複数個の共鳴型音減衰器をコンテナ本体の外側面及び屋根面に取り付ける作業を容易として、防音対策に要する工期を短縮することができる。
【発明を実施するための最良の形態】
【００１７】
以下、本発明の実施形態を添付図面に基づいて詳細に説明する。図１は本発明による航空機用防音コンテナの実施形態を示す正面図であり、図２はその左側面図である。この航空機用防音コンテナは、航空機が発する低周波音の騒音を低減するもので、コンテナ本体１と、複数個の共鳴型音減衰器２とを備えて成る。
【００１８】
コンテナ本体１は、内部に人や動物等を収容するもので、航空機の貨物室の内部に搭載しうる高さＨ、幅Ｗ、長さＬを有する箱体（図６参照）に形成されており、側壁部３の少なくとも一面に出入り口となる開閉扉４を備え、航空機内の固定装置によって固定可能とされている。すなわち、上記開閉扉４を開いて人や動物等を内部に入れ、その開閉扉４を閉じて内部に収容するようになっている。また、貨物室内への固定は、上記コンテナ本体１を図１及び図２に示すパレット５ａ，５ｂに載せてタイダウン装具によって固縛し、そのパレット５ａ，５ｂを貨物室の床面に設けられた公知の固定装置（フック状の金具）によって固定するようになっている。
【００１９】
上記コンテナ本体１の具体的な大きさは、例えば高さＨ＝200cm程度、幅Ｗ＝200cm程度、長さＬ＝500cm程度とされている。なお、図１及び図２において、符号６は、上記コンテナ本体１を航空機の貨物室内に搭載する場合に、該コンテナ本体１をパレット５ａ，５ｂと共にクレーンで吊り上げるときの吊り金具を示している。この場合、上記コンテナ本体１をクレーンで吊り上げて、一旦、専用のカーゴ・ローダに積載し、このカーゴ・ローダから航空機の貨物室に移動させて搭載する。
【００２０】
上記コンテナ本体１の外側面及び屋根面には、共鳴型音減衰器２が複数個設けられている。この共鳴型音減衰器２は、その共鳴周波数と略同一又は近似した周波数の音を吸収してコンテナ本体１の内部に伝わる騒音を低減するもので、図３に示すように、内側に空洞部７を有する箱形に形成され、図４（ａ）に示すように、上記箱形の外側板材８には内部の空洞部７と連通し断面円形の筒状とされて所定長さａで内部に陥没した首部９を有しており、ヘルムホルツ共鳴器と呼ばれるものである（特許第３３１７９３６号公報参照）。そして、この共鳴型音減衰器２の共鳴周波数は、航空機が発する低周波音の周波数と略同一又は近似した値とされている。例えば、可変ピッチプロペラのように一定回転数で回転するプロペラを備えた航空機においては、そのプロペラの回転から発生する騒音は例えば６０〜７０Hzという低周波音であるが、この周波数に合わせてある。
【００２１】
具体的には、上記共鳴型音減衰器２は、図３に示すように、内側に空洞部７を有し平面形状が例えば矩形状とされた箱形を木材等の部材で形成し、上記箱形の外側板材８の中央部には内部に陥没した首部９が形成されている。このような形状の共鳴型音減衰器２においては、主として空洞部７の容積ｖ、首部９の断面積ｓ、該首部９の長さａ、及び音速ｃにより共鳴周波数が決まる。この共鳴周波数に一致する音波が上記首部９から共鳴型音減衰器２に入射すると、上記首部９の空気は激しく振動して、摩擦損失により音のエネルギーが熱のエネルギーに変換されて失われ、低周波音が吸収される（ヘルムホルツ共鳴器の動作原理）。
【００２２】
上記共鳴型音減衰器２の具体的な大きさは、例えば縦ｄ＝34cm程度、横ｅ＝34cm程度、高さｈ＝７cm程度で空洞部７の容積ｖ＝8000cm3程度とされ、首部９の長さａ＝４cm程度、首部９の断面積ｓ＝7cm2程度とされている。このような共鳴型音減衰器２の寸法とすることにより、その共鳴周波数が例えば６５Hzとされる。なお、上記首部９は、図４（ｂ）に示すように、所定長さａ′で箱形の外部に突出させてもよい。
【００２３】
そして、上記のように構成された複数個の共鳴型音減衰器２が、図１及び図２に示すように、前記コンテナ本体１の少なくとも左側面及び右側面並びに屋根面に隙間なく並べて取り付けられ、本発明による航空機用防音コンテナが構成されている。
【００２４】
このような構造により、上記航空機用防音コンテナを航空機の貨物室内に搭載して搬送すると、コンテナ本体１の外側面に取り付けられた多数の共鳴型音減衰器２により、一定回転数で回転するプロペラを備えた航空機のそのプロペラの回転から発生する低周波音をヘルムホルツ共鳴器の動作原理で吸収して、人や動物等を収容したコンテナ本体１の内部に伝わる騒音を低減することができる。したがって、コンテナ本体１の内部に収容された人や動物等に対する騒音の影響を軽減することができる。なお、上記貨物室内に搭載された航空機用防音コンテナの周囲は、貨物室の内壁で閉じられた空間となっており、コンテナ本体１の外周面と貨物室の内周面との間にプロペラの回転による低周波音が定在波としてこもった状態となるが、この空間部についても上記多数の共鳴型音減衰器２の存在により吸音することができる。このことから、航空機の貨物室内全体の騒音を低減することが期待できる。
【００２５】
なお、図１及び図２では、共鳴型音減衰器２をコンテナ本体１の左側面及び右側面並びに屋根面に隙間なく並べて取り付けたものとしたが、これに限られず、上記コンテナ本体１の前後両側面にも取り付けてもよい。この場合は、図２に示す開閉扉４が開け閉めできるように工夫して取り付ける。さらに、上記コンテナ本体１の底面にも複数個の共鳴型音減衰器２を取り付けてもよい。このようにすると、コンテナ本体１の内部に伝わる騒音を更によく低減することができる。
【００２６】
図５は、前記コンテナ本体１の外側面及び屋根面に取り付ける複数個の共鳴型音減衰器２の他の実施形態を示す斜視図である。この実施形態は、上記コンテナ本体１の外側面及び屋根面に複数個設けられる共鳴型音減衰器２を、縦横に隙間なく並べて一体化した複合パネル１０に形成したものである。例えば、図３に示される共鳴型音減衰器２を縦に５個、横に１０個隙間なく並べて相互に接続し、縦Ｄ、横Ｅの寸法を有する大きなパネル状に形成したものである。なお、縦横に並べる複数個の共鳴型音減衰器２の個数は、上述のものに限られず、適宜の個数でよい。
【００２７】
また、上記複合パネル１０の大きさは、縦Ｄ、横Ｅの寸法を図１及び図２に示すコンテナ本体１の外側面及び屋根面の縦横の全寸法に合わせてもよいし、該コンテナ本体１の外側面及び屋根面を例えば２分割、４分割、６分割等に分割した寸法に合わせた中型のパネル状としてもよい。さらに、図５に示す縦Ｄ、横Ｅの寸法の大きな箱形を一つ形成し、その内側の空洞部を桟で縦横に仕切って図３に示す個々の空洞部７を形成し、それぞれの中央部に首部９を形成して、共鳴型音減衰器２を複数個形成するようにしてもよい。
【００２８】
そして、図５に示すように形成された複合パネル１０を、図６に示すように前記コンテナ本体１の外側面及び屋根面に取り付けることにより、本発明による航空機用防音コンテナが構成される。図６においては、コンテナ本体１の左側面に第１の複合パネル１０ａを取り付け、右側面に第２の複合パネル１０ｂを取り付け、屋根面に第３の複合パネル１０ｃを取り付けている。この場合は、上記コンテナ本体１の外側面及び屋根面に複数個の共鳴型音減衰器２を取り付ける作業が、大きな複合パネル１０ａ〜１０ｃを取り付けるだけでよいので、容易となり、防音対策に要する工期を短縮することができる。
【００２９】
なお、上記複合パネル１０ａ〜１０ｃは、コンテナ本体１に対して着脱可能としてもよい。このようにすると、コンテナ本体１を航空機に搭載した後に、該コンテナ本体１に複合パネル１０ａ〜１０ｃを取り付けることができる。また、航空機から降ろして陸上で保管したり、他に使用する際には、コンテナ本体１から複合パネル１０ａ〜１０ｃを取り外して軽量な状態でコンテナ本体１のみを取り扱うことができる。
【００３０】
なお、図６においては、コンテナ本体１の左側面及び右側面並びに屋根面に、それぞれ第１〜第３の複合パネル１０ａ〜１０ｃを取り付けたものとしたが、上記コンテナ本体１の前側面及び後側面にも他の複合パネル１０を取り付けてもよい。なお、開閉扉４を備えた前側面には、図３に示す個々の共鳴型音減衰器２を複数個取り付けてもよい。
【００３１】
図７は、前記コンテナ本体１の外側面及び屋根面に取り付ける複数個の共鳴型音減衰器２の更に他の実施形態を示す正面図である。この実施形態は、個々の共鳴型音減衰器２′の平面形状を例えば六角形としたものである。そして、複数個の共鳴型音減衰器２′を、縦横に隙間なく並べて一体化して複合パネル１０に形成したものである。この場合も、複数個の共鳴型音減衰器２′を、それらの外周辺を互いに接して縦横に隙間なく並べることができるので、航空機の発する低周波音を、コンテナ本体１の略全周面で吸収して内部に伝わる騒音を低減することができる。なお、この共鳴型音減衰器２′の平面形状は、矩形状又は六角形に限られず、他の多角形状でもよい。
【００３２】
なお、上記共鳴型音減衰器２，２′の材料は、木材に限られず、プラスチック等でもよい。航空機用であることからすると、できるだけ軽い材料が望ましい。また、本発明の航空機用防音コンテナは、医療用又は動物用のコンテナだけに限られず、貨物輸送機等に人員を搭乗させて移動する際のＶＩＰ用又は会議用のコンテナとしても利用することができる。
【図面の簡単な説明】
【００３３】
【図１】本発明による航空機用防音コンテナの実施形態を示す正面図である。
【図２】図１の左側面図である。
【図３】共鳴型音減衰器を示す斜視図である。
【図４】上記共鳴型音減衰器の中央横断面図である。
【図５】コンテナ本体の外側面及び屋根面に取り付ける複数個の共鳴型音減衰器の他の実施形態を示す斜視図である。
【図６】図５に示すように形成された複合パネルを、コンテナ本体の外側面及び屋根面に取り付ける状態を示す斜視図である。
【図７】コンテナ本体の外側面及び屋根面に取り付ける複数個の共鳴型音減衰器の更に他の実施形態を示す正面図である。
【符号の説明】
【００３４】
１…コンテナ本体
２，２′…複数個の共鳴型音減衰器
３…側壁部
４…開閉扉
７…空洞部
８…外側板材
９…首部
１０，１０a，１０b，１０c…複合パネル
【図１】
2006335463.tif 000003
【図２】
2006335463.tif 000004
【図３】
2006335463.tif 000005
【図４】
2006335463.tif 000006
【図５】
2006335463.tif 000007
【図６】
2006335463.tif 000008
【図７】
2006335463.tif 000009